(57)【要約】【課題】簡単な回路構成で増幅器の利得検知を行うことができ、省スペース化・低コスト化を図ることのできる無線基地局を提供する。【解決手段】パイロット信号を受信信号に重畳させ、受信信号を増幅するＬＮＡ２により増幅させ、増幅されたパイロット信号を検出することにより、ＬＮＡ２の利得を監視する増幅器監視手段と、復調周波数としての中間周波数を生成するためのＬｏｃａｌシンセサイザ１１とを有する無線基地局において、Ｌｏｃａｌシンセサイザ１１により生成される周波数を逓倍することによりパイロット信号を生成するパイロット信号生成回路２７を備えた。【選択図】  図１
2004215165.tif 000002
【特許請求の範囲】
【請求項１】
パイロット信号を受信信号に重畳させ、受信信号を増幅する増幅器により増幅させ、増幅されたパイロット信号を検出することにより、前記増幅器の利得を監視する増幅器監視手段と、復調または変調周波数としての中間周波数を生成するための中間周波数シンセサイザとを有する無線基地局において、
前記中間周波数シンセサイザにより生成される周波数を逓倍することにより前記パイロット信号を生成するパイロット信号生成回路を備えたことを特徴とする無線基地局。
【発明の詳細な説明】
【発明の属する技術分野】
本発明は、無線基地局に関するものである。
【従来の技術】
図３に従来の無線基地局のブロック図を示す。
同図に示す無線基地局は、受信性能を向上させるためにＲＸ０およびＲＸ１の２系統を用いてダイバーシティ受信を行う構成となっている。
図中ＲＸ１系の電気系統におけるアンテナＡＮＴ１で受信された信号（受信信号）は、カプラ１に入力されＬＮＡ（増幅器）２にて増幅されてカプラ３に入力される。ここで、ＬＮＡ２における利得を検知するためにカプラ１によりパイロットシンセサイザ１０（図示のように、ＰＬＬ，ＬＰＦ，ＶＣＯ，およびデバイダを有している。）にて生成したパイロット信号を受信信号に合成し（重畳させ）、パイロット信号が合成された結果ＬＮＡ２から出力される信号をカプラ３によってＬＮＡ２の利得を監視する役割を有するパイロット検出回路（増幅器監視手段）５に分配する。このようにして、ＬＮＡ２に入力されるパイロット信号とＬＮＡ２により増幅された状態で出力されるパイロット信号とに基づいてＬＮＡ２の利得を検知している。ここで、ＬＮＡ２の利得が一定であれば、一定電圧の信号を検出するのでＬＮＡの性能の劣化を監視することができる。（例えば、特許文献１参照。）。
カプラ３を経た信号は、ＢＰＦ（帯域制限）４によりパイロット信号成分や送信信号等の不要な信号を取り除かれ、ミキサ６、ＩＦＡ７、ＩＦ用ＢＰＦ８を経て復調器９に入力される。復調器９に入力された信号は、信号処理部２４において処理可能な信号に復号化されて、信号処理部２４に入力される。
一方、図中ＲＸ０系の電気系統におけるアンテナＡＮＴ２で受信された信号は、カプラ１、ＬＮＡ２、カプラ３、ＢＰＦ４、パイロット検出回路５、ミキサ６、ＩＦＡ７、ＩＦ用ＢＰＦ８、および復調器９により、上述したＲＸ１系における処理と同様な処理を経て、信号処理部２４に入力される。
なお、復調周波数としての中間周波数の信号を生成する中間周波数シンセサイザとしての役割を有する受信ＩＦ用のＬｏｃａｌシンセサイザ１１は、ＲＸ０系とＲＸ１系それぞれに信号を供給している。
上述のようにして信号処理部２４に入力された信号は、制御部２５における制御動作に利用する制御用信号としての役割を有している。
制御部２５から出力される信号は、信号処理部２４に入力され、送信用の信号に符号化されてＩＦＡ２１に入力される。
このようにしてＩＦＡ２１に入力された信号はＩＦＡ２１にて増幅され、ＢＰＦ２０にて不要な信号成分を除去される。そして、ＢＰＦ２０にてフィルタリングされた信号はミキサ１９に至り、ここでＬｏｃａｌシンセサイザ２３にて生成された信号と合成される。この合成された信号はＩＦＡ１８にて増幅されて、ＢＰＦ１７に入力される。ＢＰＦ１７に入力されフィルタリングされた信号は、ミキサ１６にてＬｏｃａｌシンセサイザ２２から送信される信号と合成されて、ＢＰＦ１５に入力される。そして、ＢＰＦ１５にて不要な信号成分を除去された信号は、ＰＡ（パワーアンプ）１４、アイソレータ１３、デュープレクサ１２を経て送信される。Ｌｏｃａｌシンセサイザ２２にて生成される信号は、ＲＸ０系とＲＸ１系の受信側の２系統それぞれのミキサ６にも入力される。
【特許文献１】
特開平６−３２６５３８号公報  （第２―３頁、第６図）
【発明が解決しようとする課題】
上述のような従来の構成では、シンセサイザ部を４種類（すなわち、図３に示す１０，１１，２２，２３）も備えた構成となっているため、部品数が多い、回路構成が複雑、Ｐ／Ｂの配線に関してもシンセサイザの制御線を４種類のシンセサイザ部に対応して引き回さなければならない等の難点があり、Ｐ／Ｂ設計も複雑になってしまう場合があった。
本発明は上述した問題点を解決するためになされたものであり、簡単な回路構成で増幅器の利得検知を行うことができ、省スペース化・低コスト化を図ることのできる無線基地局を提供することを目的とする。
【課題を解決するための手段】
上述した課題を解決するため、本発明に係る無線基地局は、パイロット信号を受信信号に重畳させ、受信信号を増幅する増幅器により増幅させ、増幅されたパイロット信号を検出することにより、増幅器の利得を監視する増幅器監視手段と、復調または変調周波数としての中間周波数を生成するための中間周波数シンセサイザとを有する無線基地局において、中間周波数シンセサイザにより生成される周波数を逓倍することによりパイロット信号を生成するパイロット信号生成回路を備えたことを特徴とするものである。
このように、ＰＬＬおよびＶＣＯ等を用いてパイロット信号を生成する従来のパイロットシンセサイザの代わりに、中間周波数シンセサイザからの出力信号を逓倍することによりパイロット信号を生成するパイロット信号生成回路を備えた構成とすることにより、ＰＬＬおよびＶＣＯを省くことができる。すなわち、簡単な回路構成で増幅器の利得検知を行うことができ、省スペース化・低コスト化を図ることのできる無線基地局を提供することができる。
【発明の実施の形態】
（第１の実施の形態）
以下、本発明の第１の実施の形態について図面を参照しつつ説明する。
本実施の形態による無線基地局が上述した従来の無線基地局と異なる点は、主にパイロット信号を生成する部分の構成にある。以下、従来の無線基地局の構成と同様な部分には同一符号を付し、説明は割愛する。
具体的に、従来のパイロットシンセサイザ１０ではＰＬＬおよびＶＣＯを有する構成となっているが（図３参照）、本実施の形態による無線基地局におけるパイロット信号生成回路２７ではＰＬＬおよびＶＣＯの代わりに逓倍回路Ｔを使用することにより、従来のパイロットシンセサイザ１０と同等な役割を果たしている。
すなわち、パイロット信号を生成する役割をもつパイロット信号生成回路２７では、１波固定の信号を出力すればよいので、受信ＩＦ用の復調周波数としての中間周波数の信号を生成するＬｏｃａｌシンセサイザ（すなわち、中間周波数シンセサイザに相当する。）１１で生成された信号（固定の局発）を逓倍回路Ｔにより２逓倍もしくは３逓倍し、ＬＰＦ２８にて高調波成分を除去し、パイロット信号として用いている。もちろん、Ｌｏｃａｌシンセサイザ１１からの信号を逓倍回路Ｔにて逓倍する倍数は２倍、３倍に限られるものではなく、必要に応じて変更可能である。
（第２の実施の形態）
本発明の第２の実施の形態について図面を参照しつつ説明する。
本実施の形態による無線基地局は、上述した第１の実施の形態の変形例であり、パイロット信号を生成する部分の構成が従来の無線基地局とは異なっている。以下、従来の無線基地局の構成と同様な部分には同一符号を付し、説明は割愛する。
図２に示すように、本実施の形態による無線基地局におけるパイロット信号生成回路２７’では、上述の第１の実施の形態で用いていた受信ＩＦ用のＬｏｃａｌシンセサイザ１１の代わりに、送信用に用いている変調周波数としての中間周波数を生成するＬｏｃａｌシンセサイザ（すなわち、中間周波数シンセサイザに相当する。）２３にて生成された信号を用いて、それを逓倍回路Ｔにて２逓倍もしくは３逓倍し、ＬＰＦ２８にて高調波成分を除去し、パイロット信号として用いている。もちろん、Ｌｏｃａｌシンセサイザ２３からの信号を逓倍回路Ｔにて逓倍する倍数は２倍、３倍に限られるものではなく、必要に応じて変更可能である。
以上説明したように、上述の各実施の形態による無線基地局は、パイロット信号を受信信号に重畳させ、受信信号を増幅する増幅器により増幅させ、増幅されたパイロット信号を検出することにより、増幅器の利得を監視する増幅器監視手段と、復調または変調周波数としての中間周波数を生成するための中間周波数シンセサイザとを有する無線基地局において、中間周波数シンセサイザにより生成される周波数を逓倍することによりパイロット信号を生成するパイロット信号生成回路を備えたことを特徴とするものである。
このように、ＰＬＬおよびＶＣＯ等を用いてパイロット信号を生成する従来のパイロットシンセサイザの代わりに、中間周波数シンセサイザからの出力信号を逓倍することによりパイロット信号を生成するパイロット信号生成回路を備えた構成とすることにより、ＰＬＬおよびＶＣＯを省くことができる。すなわち、簡単な回路構成で増幅器の利得検知を行うことができ、省スペース化・低コスト化を図ることのできる無線基地局を提供することができる。
【発明の効果】
以上に詳述したように本発明によれば、簡単な回路構成で増幅器の利得検知を行うことができ、省スペース化・低コスト化を図ることのできる無線基地局を提供することができる。
【図面の簡単な説明】
【図１】本発明の第１の実施の形態による無線基地局の回路構成を説明するための図である。
【図２】本発明の第２の実施の形態による無線基地局の回路構成を説明するための図である。
【図３】従来の無線基地局の回路構成を説明するための図である。
【符号の説明】
１  カプラ、２  ＬＮＡ、３  カプラ、４  ＢＰＦ、５  パイロット検出回路、６  ミキサ、７  ＩＦＡ、８  ＩＦ用ＢＰＦ、９  復調器、１０  パイロットシンセサイザ、１１  Ｌｏｃａｌシンセサイザ、１２  デュープレクサ、１３  アイソレータ、１４  ＰＡ、１５  ＢＰＦ、１６  ミキサ、１７  ＢＰＦ、１８  ＩＦＡ、１９  ミキサ、２０  ＢＰＦ、２１  ＩＦＡ、２２  Ｌｏｃａｌシンセサイザ、２３  Ｌｏｃａｌシンセサイザ、２４  信号処理部、２７，２７’  パイロット信号生成回路、２８  ＬＰＦ、Ｔ  逓倍回路、ＡＮＴ１，ＡＮＴ２  アンテナ。
【図１】
2004215165.tif 000003
【図２】
2004215165.tif 000004
【図３】
2004215165.tif 000005